(57)【特許請求の範囲】
【請求項１】
画像形成動作を行う装置本体と、
前記装置本体の上面に対して所定の支持軸回りに回動することにより閉止姿勢と開放姿勢との間で姿勢変更する原稿読取装置と、
第１端部と該第１端部と反対側に位置する第２端部とを有し、前記装置本体に対して前記第１端部が回転可能に連結されると共に、前記第２端部が前記原稿読取装置に対して移動可能に連結され、開放姿勢の前記原稿読取装置を起立状態で支持する姿勢である第１姿勢と、前記原稿読取装置が閉止姿勢のときの姿勢であって前記起立状態よりも水平に近い第２姿勢との間で姿勢変更が可能な連結アームと、
前記原稿読取装置側に設けられ、かつ、前記連結アームの前記第２端部の移動をガイドするガイド面を有するガイド部材と、
前記連結アームの前記第２端部と干渉する干渉姿勢と、この干渉が解除される解除姿勢との間で姿勢変更し得るように、所定の軸回りに回動可能に軸支されたストッパと、を備え、
前記ガイド部材のガイド面には、前記第２端部を収容し得る逃げ凹部が設けられ、前記ストッパが干渉姿勢から解除姿勢へ姿勢変更するときに、前記ストッパから与えられる押圧力により、前記第２端部が前記逃げ凹部へ誘導されることを特徴とする画像形成装置。
【請求項２】
前記ストッパを干渉姿勢へ向けて付勢する付勢部材をさらに備え、
前記ストッパは、
前記連結アームが前記第２姿勢から第１姿勢へ向かうに際し、前記第２端部と摺接しながら当該ストッパを解除姿勢へ向かわせる傾斜面と、
前記第２端部が前記傾斜面を通過して干渉姿勢へ姿勢変更された後に当止する当止面と、
前記傾斜面と当止面との間に設けられた突出部と、を有し、
前記ストッパが前記付勢部材の付勢力に抗して干渉姿勢から解除姿勢に姿勢変更するときに前記突出部から前記第２端部へ押圧力が与えられることを特徴とする請求項１に記載の画像形成装置。
【請求項３】
前記逃げ凹部は、前記第２端部を導入するための傾斜導入面を有し、
前記傾斜導入面の前記ガイド面に対する角度が、開放姿勢に姿勢設定された前記原稿読取装置の水平面に対する傾斜角度より小さく設定されていることを特徴とする請求項１又は２に記載の画像形成装置。
【請求項４】
前記ストッパを前記所定の軸回りに回動操作する操作レバーをさらに備えることを特徴とする請求項１〜３のいずれかに記載の画像形成装置。
【請求項５】
前記装置本体内に交換可能に装着されるユニット部材と、画像形成後の用紙が排出される排紙トレイとをさらに備え、
前記原稿読取装置は、前記装置本体の上方に空間を置いて配置され、
前記排紙トレイは、前記装置本体の上面に設けられ、その一部又は全部が開閉カバーとして前記ユニット部材の交換のために開閉可能とされており、前記原稿読取装置が開放姿勢とされたとき、前記開閉カバーは前記原稿読取装置と干渉せずに開閉可能であることを特徴とする請求項１〜４のいずれかに記載の画像形成装置。
【請求項６】
二つの機器が組み合わされた複合機器であって、
第１の機器と、
前記第１の機器の上面に対して所定の支持軸回りに回動することにより閉止姿勢と開放姿勢との間で姿勢変更する第２の機器と、
第１端部と該第１端部と反対側に位置する第２端部とを有し、前記第１の機器に対して前記第１端部が回転可能に連結されると共に、前記第２端部が前記第２の機器に対して移動可能に連結され、開放姿勢の前記第２の機器を起立状態で支持する姿勢である第１姿勢と、前記第２の機器が閉止姿勢のときの姿勢であって前記起立状態よりも水平に近い第２姿勢との間で姿勢変更が可能な連結アームと、
前記第２の機器側に設けられ、かつ、前記連結アームの前記第２端部の移動をガイドするガイド面を有するガイド部材と、
前記連結アームの前記第２端部と干渉する干渉姿勢と、この干渉が解除される解除姿勢との間で姿勢変更し得るように、所定の軸回りに回動可能に軸支されたストッパと、を備え、
前記ガイド部材のガイド面には、前記第２端部を収容し得る逃げ凹部が設けられ、前記ストッパが干渉姿勢から解除姿勢へ姿勢変更するときに、前記ストッパから与えられる押圧力により、前記第２端部が前記逃げ凹部へ誘導されることを特徴とする複合機器。
【発明の詳細な説明】
【技術分野】
【０００１】
本発明は、装置本体の上面に対して開閉可能に付設された原稿読取装置を有する画像形成装置、乃至は二つの機器が組み合わされた複合機器に関する。
【背景技術】
【０００２】
従来、図７に示すような画像形成装置１００が知られている。なお、図７では、説明を容易に行い得るように不必要な部材の図示を省略し、本発明と比較されるべき従来技術としての本質部分のみを示している。また、図７においてはＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【０００３】
この画像形成装置１００は、内部に感光体ドラムや現像装置等の各種の画像形成用の機器が装着された箱形を呈する装置本体１０１と、この装置本体１０１の上面開口に対して左右方向に延びる支持軸１０３回りに回動することにより閉止姿勢Ｓ１（図７の（イ）））と開放姿勢Ｓ２（図７の（ロ））との間で姿勢変更可能に付設された原稿読取装置１０２とを備えている。
【０００４】
原稿読取装置１０２は、原稿面が対向される図略のコンタクトガラス、原稿面に光を照射する図略の光源、原稿面からの反射光をＣＣＤへ導く図略の複数のミラー、およびこれら光源やミラーを移動させる図略の移動機構等が装着された重量物である。かかる原稿読取装置１０２が開閉可能とされるのは、当該原稿読取装置１０２を開放することで装置本体１０１の内部を点検したり、図略の現像装置を更新のために着脱したりするためである。
【０００５】
装置本体１０１と原稿読取装置１０２との間には、左右方向一対の連結アーム１０４が介設されている。これらの連結アーム１０４は、下端部が左右方向に延びる支点軸１０４ａ回り回動自在に軸支されている一方、上端部１０４ｂが原稿読取装置１０２の下面側に形成されたガイド溝１０５に外れ止め状態で案内されつつ移動可能になっている。従って、原稿読取装置１０２を開閉することにより、各連結アーム１０４は、支点軸１０４ａ回りに回動するとともに、その上端部１０４ｂは、ガイド溝１０５に沿って正逆移動することになる。
【０００６】
そして、原稿読取装置１０２が開放姿勢Ｓ２に姿勢設定された状態で、当該開放姿勢Ｓ２を維持させるために、左右方向一対のストッパ１０６が設けられている。連結アーム１０４の上端部１０４ｂがガイド溝１０５の前端部からストッパ１０６を遣り過ごして原稿読取装置１０２が開放姿勢Ｓ２に姿勢設定されると、各連結アーム１０４は、各上端部１０４ｂが図７の（ロ）に示すようにこれらのストッパ１０６に当止される。連結アーム１０４は、ストッパ１０６により支点軸１０４ａ回りに時計方向に向けて回動することが阻止され、これによって原稿読取装置１０２は開放姿勢Ｓ２が維持される。
【０００７】
ストッパ１０６は、原稿読取装置１０２の下面側において連結アーム１０４より内側の適所に設けられた縦軸１０６ａ回りに回動可能に軸支されている。連結アーム１０４がストッパ１０６を遣り過ごし、原稿読取装置１０２が開放姿勢Ｓ２に姿勢設定された状態では、当該ストッパ１０６は、原稿読取装置１０２の下面側に突設された突起１０６ｂに当止される。従って、連結アーム１０４の上端部１０４ｂがストッパ１０６を前方に向けて押圧しても、ストッパ１０６は回動しない。これによって原稿読取装置１０２の開放姿勢Ｓ２が維持される。
【０００８】
かかるストッパ１０６を縦軸１０６ａ回りに各連結アーム１０４に向かう方向に向けて回動させる操作レバー１０７が、原稿読取装置１０２の前面側に設けられている。この操作レバー１０７を例えば右方に向けて操作すると、各ストッパ１０６の外側の端部が縦軸１０６ａ回りに連結アーム１０４の方向に向けて回動する。これによってストッパ１０６は、図７の（ハ）に示すように、連結アーム１０４を一旦後方に向けて押し遣った後に、連結アーム１０４との干渉が解除される位置（退避位置）にまで移動する。
【０００９】
操作レバー１０７の操作でストッパ１０６を退避位置に移動させることにより、一対の連結アーム１０４は、支点軸１０４ａ回りに時計方向に向けて回動可能になる。このため、原稿読取装置１０２を開放姿勢Ｓ２から図７の（イ）に示す閉止姿勢Ｓ１に向けて姿勢変更させることができる。
【００１０】
なお、特許文献１には、画像形成処理が可能に構成された装置本体と、この装置本体に対し開閉可能に付設された原稿読取装置とからなる画像形成装置が記載されている。しかし、この特許文献１のものには、前記ストッパ１０６に相当するものが存在していない。
【特許文献１】特開２００５−６２３２６号公報
【発明の開示】
【発明が解決しようとする課題】
【００１１】
ところで、図７に示す画像形成装置１００にあっては、開放姿勢Ｓ２に姿勢設定された原稿読取装置１０２を閉止姿勢Ｓ１に戻すに際し、操作レバー１０７の操作でストッパ１０６を縦軸１０６ａ回りに時計方向および反時計方向に回動させて、斜めになっている連結アーム１０４を直立させる方向に向けて押圧し、当該連結アーム１０４を介し原稿読取装置１０２を一旦持ち上げなければならない。
【００１２】
しかし、重量物である原稿読取装置１０２を操作レバー１０７の操作のみで持ち上げることは極めて困難である。そこで、原稿読取装置１０２を閉止するに際しては、ユーザは、一方の手で原稿読取装置１０２の前端部を持ち上げつつ他方の手で操作レバー１０７を動かすという面倒な操作を行なっていた。
【００１３】
本発明の目的は、原稿読取装置を一旦持ち上げるような面倒なことを行わずとも容易に閉止することができ、原稿読取装置の閉止操作の操作性を向上させた画像形成装置を提供することにある。
【課題を解決するための手段】
【００１４】
本発明の一局面に係る画像形成装置は、画像形成動作を行う装置本体と、前記装置本体の上面に対して所定の支持軸回りに回動することにより閉止姿勢と開放姿勢との間で姿勢変更する原稿読取装置と、第１端部と該第１端部と反対側に位置する第２端部とを有し、前記装置本体に対して前記第１端部が回転可能に連結されると共に、前記第２端部が前記原稿読取装置に対して移動可能に連結され、開放姿勢の前記原稿読取装置を起立状態で支持する姿勢である第１姿勢と、前記原稿読取装置が閉止姿勢のときの姿勢であって前記起立状態よりも水平に近い第２姿勢との間で姿勢変更が可能な連結アームと、前記原稿読取装置側に設けられ、かつ、前記連結アームの前記第２端部の移動をガイドするガイド面を有するガイド部材と、前記連結アームの前記第２端部と干渉する干渉姿勢と、この干渉が解除される解除姿勢との間で姿勢変更し得るように、所定の軸回りに回動可能に軸支されたストッパと、を備え、前記ガイド部材のガイド面には、前記第２端部を収容し得る逃げ凹部が設けられ、前記ストッパが干渉姿勢から解除姿勢へ姿勢変更するときに、前記ストッパから与えられる押圧力により、前記第２端部が前記逃げ凹部へ誘導されることを特徴とする（請求項１）。
【００１５】
かかる構成によれば、原稿読取装置が装置本体の上面を閉止した閉止姿勢に姿勢設定された状態において、当該原稿読取装置を支持軸回りに回動させて開放姿勢に向けて姿勢変更させることにより、第２姿勢に姿勢設定されていた連結アームは、その第２端部がガイド部材にガイドされつつ第１端部が支点軸回りに所定方向に向け回動して第１姿勢に向かうことになる。第１姿勢に向かって回動する連結アームは、その第２端部がストッパを遣り過ごした後、当該ストッパが解除姿勢から干渉姿勢に戻ることで当該ストッパに第２姿勢へ向かう姿勢変更が阻止されるため、連結アームに支持された原稿読取装置の開放姿勢は確実に維持される。
【００１６】
そして、ガイド部材のガイド面には、連結アームの第２端部を収容し得る逃げ凹部が設けられている。ストッパが干渉姿勢から解除姿勢へ姿勢変更するときにストッパから連結アームに与えられる押圧力により、連結アームの第２端部が逃げ凹部へ誘導されるように構成されている。このため、一旦開放姿勢に姿勢設定された原稿読取装置を元の閉止姿勢に戻すに際し、特に原稿読取装置を相当量持ち上げなくても連結アームの第２端部を逃げ凹部に入り込ませることによってストッパを干渉姿勢から解除姿勢に姿勢変更させることが可能である。これによって従来のように一方の手で一旦重い原稿読取装置を持ち上げる操作を行う必要がなくなり、部品点数を増加させることなく原稿読取装置の閉止操作の操作性が向上する。
【００１７】
上記構成において、前記ストッパを干渉姿勢へ向けて付勢する付勢部材をさらに備え、
前記ストッパは、前記連結アームが前記第２姿勢から第１姿勢へ向かうに際し、前記第２端部と摺接しながら当該ストッパを解除姿勢へ向かわせる傾斜面と、前記第２端部が前記傾斜面を通過して干渉姿勢へ姿勢変更された後に当止する当止面と、前記傾斜面と当止面との間に設けられた突出部と、を有し、前記ストッパが前記付勢部材の付勢力に抗して干渉姿勢から解除姿勢に姿勢変更するときに前記突出部から前記第２端部へ押圧力が与えられる構成とすることが望ましい（請求項２）。
【００１８】
かかる構成によれば、連結アームが第２姿勢から第１姿勢へと姿勢変更する過程で、第２端部はストッパに設けられた傾斜面と摺接して、干渉姿勢のストッパを付勢部材の付勢力に抗した所定の軸回りの回動で解除姿勢に向かわせる。そして、第２端部がストッパの傾斜面を遣り過ごすと、当該ストッパは、付勢部材の付勢力で解除姿勢から干渉姿勢に復元される。これによって連結アームは、その第２端部がストッパの当止面に当止した状態で第１姿勢に姿勢設定されるため、原稿読取装置は、この第１姿勢の連結アームに安定した状態で支持されて開放姿勢が維持される。
【００１９】
ついで、一旦開放姿勢に姿勢設定された原稿読取装置を元の閉止姿勢に戻すに際しては、ストッパを付勢部材の付勢力に抗して干渉姿勢から解除姿勢に向けて所定の軸回りに回動操作すればよい。こうすることで、ストッパの突出部が連結アームの第２端部を一旦第２姿勢から遠ざかる方向に向けて押圧した後、ストッパは連結アームの回動軌跡から外れた解除姿勢に姿勢変更する。連結アームは、その第２端部のストッパによるロックが解除され、これによって第１姿勢から第２姿勢に向かう支点軸回りの回動で原稿読取装置が開放姿勢から閉止姿勢に姿勢変更される。
【００２０】
このようなストッパを用いることで、連結アームに対する起立姿勢のロックおよびロック解除を行う構造を簡単なものにした上で、逃がし凹部との協働で原稿読取装置の開閉操作を容易にすることができる。
【００２１】
上記いずれかの構成において、前記逃げ凹部は、前記第２端部を導入するための傾斜導入面を有し、前記傾斜導入面の前記ガイド面に対する角度が、開放姿勢に姿勢設定された前記原稿読取装置の水平面に対する傾斜角度より小さく設定されていることが望ましい（請求項３）。
【００２２】
かかる構成によれば、連結アームは、起立姿勢に姿勢設定され、干渉姿勢に姿勢設定されたストッパによって解除姿勢への姿勢変更が阻止された状態で、連結アームの第２端部が逃げ凹部に入り込むことがない。仮に、逃げ凹部の傾斜角度が大きい場合には、連結アームの上端が逃げ凹部に嵌り込んで原稿読取装置がその分下降し、これによって原稿読取装置を閉止するに際し一旦当該原稿読取装置を持ち上げなければならなくなるが、この構成ではそのような不都合の発生が回避される。
【００２３】
上記いずれかの構成において、前記ストッパを前記所定の軸回りに回動操作する操作レバーをさらに備えることが望ましい（請求項４）。
【００２４】
かかる構成によれば、ストッパを所定の軸回りに回動させて開放姿勢に姿勢設定されている原稿読取装置を元の閉止姿勢に戻す操作が、操作レバーの操作によって容易に行い得るようになる。
【００２５】
上記いずれかの構成において、前記装置本体内に交換可能に装着されるユニット部材と、画像形成後の用紙が排出される排紙トレイとをさらに含み、前記原稿読取装置は、前記装置本体の上方に空間を置いて配置され、前記排紙トレイは、前記装置本体の上面に設けられ、その一部又は全部が開閉カバーとして前記ユニット部材の交換のために開閉可能とされており、前記原稿読取装置が開放姿勢とされたとき、前記開閉カバーは前記原稿読取装置と干渉せずに開閉可能とすることは、好ましい構成の一つである（請求項５）。
【００２６】
本発明の他の局面に係る複合機器は、二つの機器が組み合わされた複合機器であって、第１の機器と、前記第１の機器の上面に対して所定の支持軸回りに回動することにより閉止姿勢と開放姿勢との間で姿勢変更する第２の機器と、第１端部と該第１端部と反対側に位置する第２端部とを有し、前記第１の機器に対して前記第１端部が回転可能に連結されると共に、前記第２端部が前記第２の機器に対して移動可能に連結され、開放姿勢の前記第２の機器を起立状態で支持する姿勢である第１姿勢と、前記第２の機器が閉止姿勢のときの姿勢であって前記起立状態よりも水平に近い第２姿勢との間で姿勢変更が可能な連結アームと、前記第２の機器側に設けられ、かつ、前記連結アームの前記第２端部の移動をガイドするガイド面を有するガイド部材と、前記連結アームの前記第２端部と干渉する干渉姿勢と、この干渉が解除される解除姿勢との間で姿勢変更し得るように、所定の軸回りに回動可能に軸支されたストッパと、を備え、前記ガイド部材のガイド面には、前記第２端部を収容し得る逃げ凹部が設けられ、前記ストッパが干渉姿勢から解除姿勢へ姿勢変更するときに、前記ストッパから与えられる押圧力により、前記第２端部が前記逃げ凹部へ誘導されることを特徴とする（請求項６）。
【発明の効果】
【００２７】
本発明に係る画像形成装置（複合機器）によれば、原稿読取装置（第２の機器）を一旦持ち上げるような面倒なことを行わずとも容易に閉止することができ、原稿読取装置（第２の機器）の閉止操作の操作性を向上させることができる。
【発明を実施するための最良の形態】
【００２８】
以下、図面に基づいて本発明の実施形態につき詳細に説明する。図１は、本発明の一実施形態に係る画像形成装置１０を示す図であり、（イ）は、外観の斜視図、（ロ）および（ハ）は側面断面視の説明図である。（ロ）は、原稿読取装置が閉止姿勢Ｓ１に姿勢設定された状態を、（ハ）は、原稿読取装置が開放姿勢Ｓ２に姿勢設定された状態をそれぞれ示している。なお、図１において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２９】
図１の（イ）に示すように、本実施形態に係る画像形成装置１０は、いわゆる胴内排紙型と称されるものである。画像形成装置１０は、内部に各種の画像形成用の部材が装着された装置本体２０（第１の機器）と、この装置本体２０の上部に連結部１１を介して設けられた原稿読取装置３０（第２の機器）とから基本構成されている。装置本体２０と原稿読取装置３０との間であって装置本体２０の頂部には、定着処理済みの用紙Ｐが排紙される排紙トレイ１２が形成されている。連結部１１は、装置本体２０の後部に立設されている。
【００３０】
装置本体２０は、箱形を呈した下部外装カバー体２１の中に、図の（イ）、（ロ）に示すように、感光体ドラム２２、帯電装置２３、露光装置２４、現像装置２５、クリーニング装置２６および定着装置２７等が装着されて構成されている。下部外装カバー体２１の底部には、挿脱自在の用紙カセット２８が装着されている。画像形成処理に際しこの用紙カセット２８から用紙Ｐが１枚ずつ装置本体２０へ給紙され、この用紙Ｐに原稿読取装置３０で読み取られた画像情報に基づく画像が転写される。
【００３１】
感光体ドラム２２は、軸心回りに回転可能に設けられ、回転しながらその周面に静電潜像およびトナー像が形成される。感光体ドラム２２の周面に形成されたトナー像が用紙Ｐに転写されることにより、用紙Ｐに対し転写処理が施される。
【００３２】
帯電装置２３は、軸心回りに回転している感光体ドラム２２の周面に一様な電荷を付与する。露光装置２４は、一様な電荷が形成された感光体ドラム２２の周面に原稿読取装置３０で読み取られた原稿画像の画像情報に基づく光線を照射して静電潜像を形成させる。現像装置２５は、感光体ドラム２２の周面に形成された静電潜像にトナーを供給してトナー像を形成させる。クリーニング装置２６は、用紙Ｐに対するトナー像の転写処理後の感光体ドラム２２周面に残留している残留トナーを取り除いて清浄化する。
【００３３】
定着装置２７は、感光体ドラム２２周面から転写された用紙Ｐのトナー像に対し定着処理を施す。定着装置２７は、内部に発熱体を備えた定着ローラ２７１と、周面がこの定着ローラ２７１の周面に当接される加圧ローラ２７２とを含む。転写処理後の用紙Ｐは、これら定着ローラ２７１と加圧ローラ２７２との間を通過する間に、定着ローラ２７１からの熱を得て定着処理が施される。
【００３４】
定着処理後の用紙Ｐは、連結部１１の内部を通って上昇され、当該連結部１１の前方位置に設けられた排紙トレイ１２へ向けて排出される。
【００３５】
原稿読取装置３０には、扁平な直方体状を呈する上部外装カバー体３１内に原稿画像を読み取るための各種の部材が内装されている。内装される部材は、例えば、光源ランプ、反射鏡、これら光源ランプおよび反射鏡を移動させる移動機構および反射鏡を介して原稿面の反射光が入光されるＣＣＤ（charge coupled device）イメージセンサ等である。原稿読取装置３０の上面には、開閉可能な原稿押さえカバー３２が設けられている。
【００３６】
上部外装カバー体３１の上面開口には、原稿を載置するためのコンタクトガラス３３（図１の（ロ））が嵌め込まれている。原稿押さえカバー３２は、後端縁部分の所定部位を支点として回動することで開閉可能とされている。原稿押さえカバー３２は、閉止姿勢に姿勢設定されることで、コンタクトガラス３３上に載置された原稿を押える。
【００３７】
上部外装カバー体３１の前部には、外方に向けて突設された操作台３１１が設けられている。操作台３１１上に備えられた各種の操作キー類に対して所定の押釦操作を行うことで、設定された条件に従った画像形成処理が実行される。
【００３８】
本実施形態においては、トナーの装填された現像装置２５が着脱可能に装置本体２０に装着されている。トナーが消費されてしまうと、この現像装置２５は、新しい現像装置と取り替えられる。
【００３９】
このような現像装置２５の新旧入れ替えのために、図１の（ハ）に示すように、排紙トレイ１２の前方側が所定の水平軸回りに反時計方向に向け回動し、下部外装カバー体２１の前方上部が開放し得るようになっている。この排紙トレイ１２による開放操作時に、当該排紙トレイ１２がその上方の原稿読取装置３０と干渉するため、排紙トレイ１２を開放するときには、これに先立って閉止姿勢Ｓ１に姿勢設定されている原稿読取装置３０を開放姿勢Ｓ２に姿勢変更させることが行われる。
【００４０】
原稿読取装置３０は、その後端下部が連結部１１の上部に設けられた左右方向に延びる支持軸３４回りに回動自在に軸支されている。原稿読取装置３０が、図１の（ロ）に示す閉止姿勢Ｓ１に姿勢設定された状態で支持軸３４回りに反時計方向に向けて回動されることにより、図１の（ハ）に示すように、開放姿勢Ｓ２に姿勢変更される。従って、現像装置２５の新旧交換を行うときは、まず、原稿読取装置３０を開いて開放姿勢Ｓ２に姿勢設定させた状態で排紙トレイ１２が開放される。
【００４１】
図２は、原稿読取装置３０の開放姿勢Ｓ２をロックするロック構造４０の一実施形態を説明するための原稿読取装置３０が開放された状態を示す斜視図である。図２の（イ）は、開放された原稿読取装置３０を左前方から見た状態、（ロ）は、開放された原稿読取装置３０を右前方から見た状態をそれぞれ示している。また、図３は、図２のロック構造４０を原稿読取装置３０の下面側から示した図である。図３の（イ）は、ストッパ７０が干渉姿勢Ｓ５に姿勢設定された状態、（ロ）は、ストッパ７０が解除姿勢Ｓ６に姿勢設定された状態をそれぞれ示している。
【００４２】
さらに、図４および図５は、ロック構造４０の原理を説明するための斜視図である。図４は、原稿読取装置３０が閉止姿勢Ｓ１に姿勢設定されたときのロック構造４０の状態、図５は、原稿読取装置３０が開放姿勢Ｓ２に姿勢設定されたときのロック構造４０の状態をそれぞれ示している。なお、図２〜図５におけるＸおよびＹによる方向表示は図１の場合と同様（Ｘは左右方向（−Ｘ：左方、＋Ｘ：右方）、Ｙは前後方向（−Ｙ：前方、＋Ｙ：後方））である。
【００４３】
以下、主に図４および図５を基に、必要に応じて図１〜図３を参照しながら本発明に係るロック構造４０について説明する。図４および図５に示すように、ロック構造４０は、連結部１１と原稿読取装置３０との間に介設され横臥姿勢Ｓ３（第２姿勢）と起立姿勢Ｓ４（第１姿勢）との間で姿勢変更する左右方向一対の連結アーム５０と、これらの連結アーム５０の姿勢変更をガイドするガイド部材６０と、連結アーム５０の起立姿勢Ｓ４をロックすることにより原稿読取装置３０の開放姿勢Ｓ２をロックするストッパ７０と、このストッパ７０を操作する操作構造８０とを備えて構成されている。
【００４４】
連結アーム５０は、長さ寸法が原稿読取装置３０の操作台３１１を除く前後長の半分より若干短めに設定されている。連結アーム５０は、基端側の端部（第１端部）と、その反対側に位置する先端側の端部（第２端部）とを有する棒状のアームである。かかる連結アーム５０は、その基端側（後方側）が、連結部１１の頂部における前後方向の中央部より若干前方位置に支持された支点軸５１回りに回動自在に軸支されている。一方、先端側の端部が、原稿読取装置３０に対して移動可能に連結されている。また、連結アーム５０は、先端側（前方側）から外方に向かって突設された突設軸５２を有している。
【００４５】
ガイド部材６０は、原稿読取装置３０の開閉動作に伴って連結アーム５０の突設軸５２をガイドするものであり、原稿読取装置３０の下面の前方左右位置にそれぞれ固定されている。かかるガイド部材６０には、前後方向に延びたガイド長孔６１が設けられ、突設軸５２は、このガイド長孔６１に摺接状態で嵌め込まれている。従って、原稿読取装置３０が開閉されると、これに応じて突設軸５２がガイド長孔６１内を正逆移動し、これによって連結アーム５０が横臥姿勢Ｓ３（図４）および起立姿勢Ｓ４（図５）間で姿勢変更し得るようになっている。なお、ガイド長孔６１の内周壁（ガイド面）には、連結アーム５０の突設軸５２（第２端部）を収納し得る逃げ凹部６２が設けられている。この逃げ凹部６２については、後記で詳述する。
【００４６】
ストッパ７０は、連結アーム５０が、図５に示すように、起立姿勢Ｓ４に姿勢設定された状態で、当該起立姿勢Ｓ４を維持させるべくガイド長孔６１内における突設軸５２の移動を阻止するものである。ストッパ７０は、ガイド部材６０の外側位置において、当該ガイド部材６０と近接配置されている。
【００４７】
かかるストッパ７０は、前後方向の略中央部が原稿読取装置３０に設けられた縦軸（所定の軸）７１回りに回動自在に軸支されている。ストッパ７０の後部は、ガイド長孔６１に嵌り込むことにより、連結アーム５０の回動軌跡内に入り込む。これによってストッパ７０は、突設軸５２と干渉する干渉姿勢Ｓ５（図３の（イ）、図４）と、この干渉が解除された解除姿勢Ｓ６（図３の（ロ））との間で姿勢変更可能になっている。ストッパ７０の後端部には、第１圧縮スプリング７２（付勢部材）が装着され、ストッパ７０は、この第１圧縮スプリング７２の付勢力によって普段は、図４に示すように、干渉姿勢Ｓ５に姿勢設定されている。
【００４８】
ストッパ７０は、傾斜縁面（傾斜面）７３、当止面７４及び突出部７５を備える。傾斜縁面７３は、一対のストッパ７０の互いに対向した側縁面における縦軸７１より後方部分に設けられ、後方に向かうに従って互いの離間距離が短くなるように傾斜している。当止面７４は、各ストッパ７０の後端面に傾斜縁面７３と鋭角で連設され、突設軸５２を当止する。突出部７５は、傾斜縁面７３と当止面７４との交差位置に設けられ、起立姿勢Ｓ４に姿勢設定された連結アーム５０の突設軸５２を、縦軸７１回りの外側に向かう回動で逃げ凹部６２へ向けて押圧する。図３の（イ）、（ロ）に、ストッパ７０が縦軸７１回りに回動したときの突出部７５の移動軌跡Ｒを示している。
【００４９】
従って、原稿読取装置３０が閉止姿勢Ｓ１（図４）から開放姿勢Ｓ２（図５）に向かって姿勢変更されることにより、連結アーム５０の突設軸５２がガイド部材６０のガイド長孔６１内を後方に向かって移動するに際し、突設軸５２が傾斜縁面７３を押圧することでストッパ７０が第１圧縮スプリング７２の付勢力に抗して縦軸７１回りに回動する。これによって、突出部７５がガイド長孔６１から一旦抜け出た解除姿勢Ｓ６（図５に二点鎖線で表示）に姿勢設定されることになる。
【００５０】
そして、原稿読取装置３０の開放操作の継続によって、突設軸５２が傾斜縁面７３を押圧し、ストッパ７０を縦軸７１回りに回動させる。突設軸５２が傾斜縁面７３を遣り過ごすと、各ストッパ７０は、第１圧縮スプリング７２の付勢力によって縦軸７１回りに各突出部７５が互いに接近する方向に向けて回動する。これにより、各突出部７５は、図３の（イ）に実線で、又図５に点線で示すように、ガイド長孔６１に再度嵌り込んだ干渉姿勢Ｓ５に戻されることになる。
【００５１】
原稿読取装置３０が開放姿勢Ｓ２に姿勢設定された状態でストッパ７０が干渉姿勢Ｓ５に姿勢設定されると、突設軸５２が、図３の（イ）および図５に示すように、ストッパ７０の当止面７４と干渉する。従って、突設軸５２はガイド長孔６１内を前方に向かって移動し得なくなるため、原稿読取装置３０の開放姿勢Ｓ２がロックされることになる。
【００５２】
操作構造８０は、原稿読取装置３０の開放姿勢Ｓ２のロックを所定の操作で解除するためのものである。操作構造８０は、原稿読取装置３０の操作台３１１の下面に設けられた操作レバー８１と、この操作レバー８１の操作で昇降される昇降部材８２と、この昇降部材８２の昇降に応じて左右方向に向けて正逆移動する、昇降部材８２と前記ストッパ７０間に介設された左右方向一対の介設ロッド８３とを備えて構成されている。
【００５３】
操作レバー８１は、その後縁部から後方に向かって突設された操作ロッド８１１を有している。操作レバー８１の後部には、操作台３１１に設けられた左右方向に延びる操作軸８１２が貫通されている。操作レバー８１を操作軸８１２回りに回動させることによって、操作ロッド８１１の後端が昇降される。
【００５４】
昇降部材８２は、その上面に操作ロッド８１１の先端（後端）が当接される。昇降部材８２は、逆Ｕ字形状を呈し、左右方向に延びる上部杆８２１と、この上部杆８２１の左右の側部から垂下された左右方向一対の三角片８２２とを備えている。各三角片８２２は、互いの対向縁面に上方に向かうに従って両者間の距離が短くなるように設定された傾斜縁面８２３が設けられている。かかる昇降部材８２は、上部杆８２１の直下位置に配設された第２圧縮スプリング８４によって上方に向けて付勢されている。
【００５５】
従って、操作レバー８１をユーザが手で上方に向かって押圧することにより（具体的には操作台３１１および操作レバー８１を手で摘むことにより）、操作ロッド８１１が操作軸８１２回りに反時計方向に向かって回動する。この回動による操作ロッド８１１の先端（後端）の下降によって、昇降部材８２が第２圧縮スプリング８４の付勢力に抗して下降する。
【００５６】
介設ロッド８３は、左右方向の内側の端部から前方に向かって突設された内側係合突起８３１と、同外側の端部から上方に向かって突設された外側係合突起８３２とを備えている。なお、図示の都合上、図４および図５においては、外側係合突起８３２を介設ロッド８３から上方に向かって突設しているが、図２および図３に示す例では、外側係合突起８３２が介設ロッド８３から下方に向かって突設されている。
【００５７】
かかる介設ロッド８３は、内側係合突起８３１が昇降部材８２の傾斜縁面８２３に当接するとともに、外側係合突起８３２が前記ストッパ７０の前端の外側縁面に当接するように長さ寸法が設定されている。なお、原稿読取装置３０には、昇降部材８２および介設ロッド８３を移動可能に支持するガイド構造が設けられているが、図４および図５においてはその図示を省略している。
【００５８】
一方、原稿読取装置３０の上部外装カバー体３１における左右方向の各内面側には、各外側係合突起８３２と対応した位置にそれぞれ図略の係止穴が設けられている。原稿読取装置３０が閉止姿勢Ｓ１に姿勢設定された状態（図４）で、各外側係合突起８３２が対応した前記係止穴に嵌り込んで係止され、これによって普段は原稿読取装置３０が開かないようになる。そして、操作レバー８１が操作軸８１２回りに反時計方向に向けて回動操作されると、これによる各介設ロッド８３の互いに接近する方向へ向かう移動により、各外側係合突起８３２が嵌り込んでいた各係止穴から外れる。この動作により、原稿読取装置３０は、閉止姿勢Ｓ１から開放姿勢Ｓ２へ向かう。
【００５９】
このように構成された操作構造８０によれば、操作台３１１および操作レバー８１を手で摘んで操作レバー８１を上方に向けて押圧すれば、操作ロッド８１１が操作軸８１２回りに反時計方向に向けて回動し、これによって昇降部材８２は、操作ロッド８１１の先端（後端）によって押圧され、第２圧縮スプリング８４の付勢力に抗して下降する。
【００６０】
そして、昇降部材８２が下降すると、その各三角片８２２に形成された各傾斜縁面８２３に当接している各介設ロッド８３の内側係合突起８３１が、それぞれ各傾斜縁面８２３に誘導されて互いに接近する方向に向かって移動する。内側係合突起８３１の移動に伴い、外側係合突起８３２がそれぞれストッパ７０の前端を内側に向かって引き寄せる。この引き寄せによる各ストッパ７０の縦軸７１回りの回動によって、各ストッパ７０は、その後端がガイド部材６０のガイド長孔６１から抜け出し、干渉姿勢Ｓ５（図３の（イ））から解除姿勢Ｓ６（図３の（ロ））に姿勢変更することになる。
【００６１】
また、原稿読取装置３０が閉止姿勢Ｓ１に姿勢設定された状態（図４）では、操作レバー８１と操作台３１１とを指で摘んで操作レバー８１を操作軸８１２回りの反時計方向へ向けて回動操作されることにより、ストッパ７０が干渉姿勢Ｓ５から解除姿勢Ｓ６に姿勢変更すると同時に、各外側係合突起８３２が係止穴から外れて原稿読取装置３０が開放可能になる。このため、ユーザが、操作台３１１と操作レバー８１とを摘んだ状態で原稿読取装置３０を開放していくことにより、突設軸５２がストッパ７０の突出部７５を遣り過し、原稿読取装置３０は開放姿勢Ｓ２になる。この状態で、操作台３１１と操作レバー８１との摘持状態を解除すると（すなわち摘んでいた指を緩めると）、ストッパ７０は、第１圧縮スプリング７２の付勢力で元の干渉姿勢Ｓ５に戻るため、突設軸５２が干渉姿勢Ｓ５になっているストッパ７０の突出部７５と干渉する。これによって原稿読取装置３０は、図５に示すように、開放姿勢Ｓ２が維持されることになる。
【００６２】
因みに本実施形態においては、上述したように、ストッパ７０に傾斜縁面７３が設けられ、原稿読取装置３０が開放されるに際し、連結アーム５０の突設軸５２がこの傾斜縁面７３に摺接して各ストッパ７０を各傾斜縁面７３が離間する方向に向け回動させる。このため、操作レバー８１の操作で一旦外側係合突起８３２が原稿読取装置３０の係止穴から外れた後は、操作レバー８１から手を離し操作台３１１のみを把持して開放操作を行っても、原稿読取装置３０を閉止姿勢Ｓ１から開放姿勢Ｓ２へ姿勢変更させることができる。
【００６３】
ついで、原稿読取装置３０が、図５に示すように、開放姿勢Ｓ２に姿勢設定された状態で、操作レバー８１を操作台３１１へ向けて押圧操作すると、ストッパ７０の突出部７５がガイド部材６０のガイド長孔６１から外れる。このため、連結アーム５０の突設軸５２がガイド長孔６１内で移動可能になり、原稿読取装置３０を開放姿勢Ｓ２から閉止姿勢Ｓ１に姿勢変更させることが可能になる。
【００６４】
本実施形態においては、原稿読取装置３０が開放姿勢Ｓ２に姿勢設定された状態において、当該原稿読取装置３０を閉止姿勢Ｓ１へ容易に姿勢変更させることができる構造（姿勢変更容易化構造）がガイド部材６０に採用されている。
【００６５】
図６は、本発明の実施形態に係る姿勢変更容易化構造の一例を説明するためのガイド部材６０の側面図である。なお、図６におけるＹによる方向表示は図１の場合と同様（−Ｙ：前方、＋Ｙ：後方）である。図６においては、原稿読取装置３０が開放姿勢Ｓ２に姿勢設定された状態を示している。
【００６６】
原稿読取装置３０が開放姿勢Ｓ２に姿勢設定された状態においては、連結アーム５０は、直立姿勢より若干前方に向けて傾倒した起立姿勢Ｓ４に姿勢設定されている。従って、かかる状態の連結アーム５０は、原稿読取装置３０の重量が加わっているため、支点軸５１回りに時計方向に向けて回動しようとするが、ストッパ７０の突出部７５及び当止面７４がガイド部材６０のガイド長孔６１内に入り込んでいるため、連結アーム５０の突設軸５２がこのストッパ７０の突出部７５及び当止面７４と干渉する。この干渉によって、連結アーム５０の支点軸５１回りの時計方向に向かう回動が阻止された状態、すなわちロック状態となっている。
【００６７】
このロック状態を解除させるために、先に詳述したように、操作レバー８１が押圧操作される。この押圧操作によって、ストッパ７０は、縦軸７１回りに図３における反時計方向に向けて回動され、図３の（イ）に示す干渉姿勢Ｓ５から、図３の（ロ）に示す解除姿勢Ｓ６に姿勢変更される。この姿勢変更によりストッパ７０の突出部７５が突設軸５２を後方に向かって押圧するため、連結アーム５０は、支点軸５１回りに図６における反時計方向に若干回動する。この回動によって、突設軸５２がガイド長孔６１の上縁部を介して原稿読取装置３０を持ち上げなければならなくなる。しかし、原稿読取装置３０は重量物であるため、操作レバー８１の操作によって突設軸５２に与えられる力だけで、原稿読取装置３０を持ち上げるのは極めて困難である。そして、この回動を行わせるためには、一方の手で操作レバー８１を操作しながら同時に他方の手で原稿読取装置３０を持ち上げなければならず非常に面倒である。
【００６８】
そこで、本実施形態においては、ガイド長孔６１の上縁部であって、干渉姿勢Ｓ５に姿勢設定されたストッパ７０の後端（すなわちガイド長孔６１に入り込んだストッパ７０の当止面７４）より後方位置に、逆Ｖ字形状の逃げ凹部６２が設けられている。この逃げ凹部６２の前方側に形成された前方傾斜面６２１の、ガイド長孔６１（ガイド面）の延びる方向に対する傾斜角度αは、連結アーム５０の上端部の突設軸５２の回動軌跡に略沿うように設定されている。
【００６９】
操作レバー８１の操作でストッパ７０が第１圧縮スプリング７２の付勢力に抗して干渉姿勢Ｓ５から解除姿勢Ｓ６に姿勢変更されるに際し、ストッパ７０は縦軸７１回りに回動し、図３に示したように、突出部７５は移動軌跡Ｒに沿って移動する。上記の逃げ凹部６２が設けられることにより、移動軌跡Ｒに沿って突出部７５並びに当止面７４が移動し、連結アーム５０の突設軸５２を押圧すると、それを端緒として突設軸５２が逃げ凹部６２に嵌り込むようになる。すなわち、操作レバー８１の操作によって与えられる比較的小さな力で、突設軸５２が突出部７５は移動軌跡Ｒと干渉しない位置まで逃がされる（図３の（ロ）参照）。これにより、原稿読取装置３０の持ち上げ量を可能な限り小さくすることができる。
【００７０】
従って、ユーザは、一方の手で原稿読取装置３０を持ち上げながら他方の手で操作レバー８１を操作するといった煩雑な操作を行うことなく、片手のみで操作レバー８１を押圧操作することによってストッパ７０を干渉姿勢Ｓ５から解除姿勢Ｓ６へ容易に姿勢変更させることが可能になる。ひいては、原稿読取装置３０の開放姿勢Ｓ２から閉止姿勢Ｓ１への姿勢変更操作を容易に行うことが可能になる。
【００７１】
本実施形態においては、逃げ凹部６２の前方傾斜面６２１のガイド長孔６１に対する傾斜角度αを、開放姿勢Ｓ２に姿勢設定された原稿読取装置３０の水平面に対する傾斜角度βより小さな角度になるようにしている。こうすることによって、原稿読取装置３０の重量を支持した連結アーム５０が、ストッパ７０の当止面７４によって押圧されることなしに、支点軸５１回りに反時計方向に回動して突設軸５２が逃げ凹部６２に嵌り込んでしまうような不都合の発生を防止することができる。
【００７２】
以上詳述したように、本実施形態に係る画像形成装置１０は、画像形成用の装置本体２０の上面に対して支持軸３４回りに回動することにより閉止姿勢Ｓ１と開放姿勢Ｓ２との間で姿勢変更する原稿読取装置３０と、装置本体２０の上部に設けられた支点軸５１回りに起立姿勢Ｓ４と横臥姿勢Ｓ３との間で姿勢変更可能に回動するとともに、起立姿勢Ｓ４に姿勢設定された状態で原稿読取装置３０を支持する連結アーム５０と、連結アーム５０の起立姿勢Ｓ４から横臥姿勢Ｓ３へ向かう姿勢変更を阻止するストッパ７０とを備えている。
【００７３】
ストッパ７０は、連結アーム５０の支点軸５１回りの回動軌跡と干渉した干渉姿勢Ｓ５と、この干渉が解除された解除姿勢Ｓ６との間で姿勢変更し得るように縦軸７１回りに回動可能に軸支され、かつ、所定の回動量で連結アーム５０を一旦起立姿勢Ｓ４へ向かわせた後に連結アーム５０の回動軌跡へ戻るように構成されている。
【００７４】
このように構成された画像形成装置１０によれば、原稿読取装置３０が装置本体２０の上面を閉止した閉止姿勢Ｓ１に姿勢設定された状態において、当該原稿読取装置３０を支持軸３４回りに回動させて開放姿勢Ｓ２に向けて姿勢変更させることにより、横臥姿勢Ｓ３に姿勢設定されていた連結アーム５０が支点軸５１回りに所定方向に向け回動して起立姿勢Ｓ４に向かうことになる。
【００７５】
起立姿勢Ｓ４に向かって回動する連結アーム５０は、その回動軌跡に干渉したストッパ７０を遣り過ごした後、当該ストッパ７０が回動軌跡に戻ることによって横臥姿勢Ｓ３へ向かう姿勢変更が阻止されるため、連結アーム５０に支持された原稿読取装置３０の開放姿勢Ｓ２は確実に維持される。
【００７６】
そして、原稿読取装置３０に設けられたガイド部材６０のガイド長孔６１における上縁部後方位置には、連結アーム５０の上端部の回動軌跡に略沿う逃げ凹部６２が設けられている。このため、一旦開放姿勢Ｓ２に姿勢設定された原稿読取装置３０を元の閉止姿勢Ｓ１に戻すに際し、特に原稿読取装置３０を相当量持ち上げなくてもストッパ７０を干渉姿勢Ｓ５から解除姿勢Ｓ６に姿勢変更させることが可能である。これによって従来のように一方の手で一旦重い原稿読取装置３０を持ち上げる操作を行う必要がなくなり、その分部品点数を増加させることなく原稿読取装置３０の閉止操作の操作性を向上させることができる。
【００７７】
また、逃げ凹部６２の前方傾斜面６２１は、原稿読取装置３０の下面に対する角度が開放姿勢Ｓ２に姿勢設定された原稿読取装置３０の水平面に対する傾斜角度より小さく設定されている。このため、原稿読取装置３０の重量を支持した連結アーム５０が、ストッパ７０の当止面７４によって押圧されることなしに、支点軸５１回りに反時計方向に回動して突設軸５２が逃げ凹部６２に嵌り込んでしまうような不都合の発生を防止することができる。
【００７８】
さらに、ストッパ７０を縦軸７１回りに回動操作し得るように構成された操作レバー８１が設けられているため、ストッパ７０を縦軸７１回りに回動させて開放姿勢Ｓ２に姿勢設定されている原稿読取装置３０を元の閉止姿勢Ｓ１に戻す操作を、操作レバー８１を操作することによって容易に行うことができる。
【００７９】
本発明は上記の実施形態に限定されるものではなく、以下の内容をも包含するものである。
（１）上記の実施形態においては、画像形成装置１０として複写機を例に挙げて説明したが、本発明は、画像形成装置１０が複写機であることに限定されるものではなく、ファクシミリ装置やプリンタ等であってもよい。
（２）上記の実施形態においては、操作構造８０として操作レバー８１と、昇降部材８２と、介設ロッド８３とを備えてなるものを例として挙げた。かかる操作構造８０に代えて、例えば、操作レバー８１および昇降部材８２を設けることなく、一対の介設ロッド８３の各内側係合突起８３１を操作台３１１から外部に突出させるようにし、これら一対の内側係合突起８３１を指で摘んで互いに引き寄せ合うようにすることでストッパ７０を姿勢変更させるようにしてもよい。さらに、各種のリンク機構を用いてストッパ７０に姿勢変更を行わせるようにしてもよい。
（３）上記の実施形態においては、逃げ凹部６２の前方傾斜面６２１の傾斜角度αを開放姿勢Ｓ２に姿勢設定された原稿読取装置３０の傾斜角度βより小さくした。しかし、たとえ前方傾斜面６２１の傾斜角度αが原稿読取装置３０の傾斜角度βより大きくても、連結アーム５０の突設軸５２の回動軌跡に対する接線の当該回動軌跡に対する角度より小さく設定すれば良い。この場合も上記実施形態と同様の作用効果を得ることができる。
（４）上記の実施形態においては、連結アーム５０は起立姿勢Ｓ４（第１姿勢）と横臥姿勢Ｓ３（第２姿勢）との間で姿勢変更される例を示した。しかし、第２姿勢は必ずしも横臥状態でなくとも良く、第１姿勢よりも水平に近い状態であれば良い。
（５）上記の実施形態においては、画像形成装置１０の装置本体２０に対して、原稿読取装置３０が回動自在に取り付けられている例を示した。本発明はこれに限定されず、二つの機器が組み合わされた複合機器であって、第１の機器と、前記第１の機器の上面に対して所定の支持軸回りに回動することにより閉止姿勢と開放姿勢との間で姿勢変更する第２の機器とからなる機器全般に適用することができる。例えば、各種家電機器、工業用機器、試験用機器などにも本発明は適用することができる。
【図面の簡単な説明】
【００８０】
【図１】本発明に係る画像形成装置の一実施形態を示す図であり、（イ）は、外観の斜視図、（ロ）および（ハ）は側面断面視の説明図である。（ロ）は、原稿読取装置が閉止姿勢に姿勢設定された状態を、（ハ）は、原稿読取装置が開放姿勢に姿勢設定された状態をそれぞれ示している。
【図２】原稿読取装置が開放された状態を示す斜視図であり、（イ）は、開放された原稿読取装置を左前方から見た状態、（ロ）は、開放された原稿読取装置を右前方から見た状態をそれぞれ示している。
【図３】図２のロック構造を原稿読取装置の下面側から示した図であり、（イ）は、ストッパが干渉姿勢に姿勢設定された状態、（ロ）は、ストッパが解除姿勢に姿勢設定された状態をそれぞれ示している。
【図４】ロック構造の原理を説明するための斜視図であり、原稿読取装置が閉止姿勢に姿勢設定されたときのロック構造の状態を示している。
【図５】ロック構造の原理を説明するための斜視図であり、原稿読取装置が開放姿勢に姿勢設定されたときのロック構造の状態を示している。
【図６】ガイド部材の側面図である。
【図７】従来の画像形成装置を概念的に示す斜視図であり、（イ）は、原稿読取装置が閉止姿勢に姿勢設定された状態、（ロ）は、ストッパにより原稿読取装置が開放姿勢にロックされた状態、（ハ）は、ストッパが連結アームを一旦後方に向けて押し遣った状態をそれぞれ示している。
【符号の説明】
【００８１】
１０  画像形成装置（複合機器）    １１  連結部
１２  排紙トレイ                  ２０  装置本体（第１の機器）
２１  下部外装カバー体            ２２  感光体ドラム
２３  帯電装置                    ２４  露光装置
２５  現像装置                    ２６  クリーニング装置
２７  定着装置                    ２７１  定着ローラ
２７２  加圧ローラ                ２８  用紙カセット
３０  原稿読取装置（第２の機器）  ３１  上部外装カバー体
３１１  操作台                    ３２  原稿押さえカバー
３３  コンタクトガラス            ３４  支持軸
４０  ロック構造                  ５０  連結アーム
５１  支点軸（第１端部）          ５２  突設軸（第２端部）
６０  ガイド部材                  ６１  ガイド長孔
６２  逃げ凹部                    ６２１  前方傾斜面
７０  ストッパ                    ７１  縦軸（所定の軸）
７２  第１圧縮スプリング（付勢部材）    ７３  傾斜縁面（傾斜面）
８０  操作構造                    ８１  操作レバー
８１１  操作ロッド                ８１２  操作軸
８２  昇降部材                    ８２１  上部杆
８２２  三角片                    ８２３  傾斜縁面
８３  介設ロッド                  ８３１  内側係合突起
８３２  外側係合突起              ８４  第２圧縮スプリング
Ｐ  用紙                          Ｓ１  閉止姿勢
Ｓ２  開放姿勢                    Ｓ３  横臥姿勢（第２姿勢）
Ｓ４  起立姿勢（第１姿勢）        Ｓ５  干渉姿勢
Ｓ６  解除姿勢
【図１】
0004763625.tif 000002
【図２】
0004763625.tif 000003
【図３】
0004763625.tif 000004
【図４】
0004763625.tif 000005
【図５】
0004763625.tif 000006
【図６】
0004763625.tif 000007
【図７】
0004763625.tif 000008